(57)【要約】【課題】本発明は、軽量でしかも簡単に足場板をスレート屋根上に設置でき、踏み歩く通路を確保するようにすることを目的とする。【解決手段】本発明では、足場板を屋根上に設置するものにおいて、足場板の軽量化と設置性の改善を狙いとして、足場板とスレート材との線接触を無くし、面接触とすることができないかという観点で誠意研究を重ねていった。その結果、足場板の下側をスレートの波形状に沿った波形状としてスレート材とを面接触させる構成として、作業者の荷重を確実に受けて足場としての強度を備え、且つ足場板が滑ることなく、作業者が安心して踏み歩くことができるようにしたものである。【選択図】図１
2007239415.tif 000002
【特許請求の範囲】
【請求項１】
スレート屋根上の足場板であって、スレート屋根の複数の波形状部に跨って渡される大きさの板状足場母材を備え、該足場母材の下部に一体に結合され、下面がスレート屋根の複数の波形状部に対応する波形状部を備えるクッション体を備えることを特徴とするスレート屋根上の足場板。
【請求項２】
請求項１記載のスレート屋根上の足場板において、該クッション体が、下面に該スレート屋根の複数の波形状部に対応する波形状部が形成されたフォーム樹脂体からなることを特徴とするスレート屋根上の足場板。
【請求項３】
請求項２記載のスレート屋根上の足場板において、該フォーム樹脂体は、隣接する該波形状部を連通して、該スレート屋根の頂部に当接する連通部を備えることを特徴とするスレート屋根上の足場板。
【請求項４】
請求項３記載のスレート屋根上の足場板において、該クッション体が屋根上に設置された際に、該フォーム樹脂体の該波形状部の圧縮代は、該連通部の圧縮代より大きくなるように形成されていることを特徴とするスレート屋根上の足場板。
【請求項５】
請求項１ないし４のいずれか１つに記載のスレート屋根上の足場板において、該足場母材は、上下が硬質板材からなり、間に補強材が介在されたサンドイッチ材からなることを特徴とするスレート屋根上の足場板。
【請求項６】
請求項１ないし４のいずれか１つに記載のスレート屋根上の足場板において、該足場母材は、内部に空洞を有する断面ボックス形状の板材からなることを特徴とするスレート屋根上の足場板。
【請求項７】
請求項１ないし６のいずれか１つに記載のスレート屋根上の足場板において、該足場母材の上面に滑り留め機構が設けられていることを特徴とするスレート屋根上の足場板。
【請求項８】
請求項２ないし７のいずれか１つに記載のスレート屋根上の足場板において、該フォーム樹脂体の該波形状部の頂部からの傾斜面に滑り留め機構が設けられていることを特徴とするスレート屋根上の足場板。
【発明の詳細な説明】
【技術分野】
【０００１】
本発明は、スレート屋根上の足場板に関し、特に、スレート屋根の補修、塗装、点検、清掃等の作業を随時に、安全な状態で遂行できるスレート屋根上の足場板に関する。
【背景技術】
【０００２】
工場、倉庫、駅のプラットホームの上家等の屋根は、母屋等の鉄骨構造の上にスレート葺きで構築されることが多い。このようなスレート葺きの屋根上では、スレートの取り替え工事のためや屋根及び樋の点検・清掃、塗装等のために、屋根上を歩行する必要がある。ところが、屋根材が衝撃に弱いスレートであるため、作業員の歩行の仕方等によっては、衝撃が局部的に作用し、スレートが損傷して作業員が落下してしまうことになる。そのため、従来では、屋根裏に、鉄骨下地材（母屋という）に落下防止用の防護網を張り、作業員がスレートを踏み抜いた場合でも落下しないような安全対策をした上で作業を行うことが行なわれている。この場合、防護網の施工は、脚立どうしの間に足場板を架け渡す等、作業台を構築して行っている。この場合には、防護網の施工・取外し作業に手間取ると共にコスト高になる。その上、母屋の上を注意深く確認しながら踏み歩くことが必要であり、スレート屋根の抜け自体を防止できず、作業者の不安を取り除くことはできない。
【０００３】
また、屋根上に防護ネットを張ることが知られている（例えば特許文献１）。しかし、特許文献１に示すようなものでは、防護ネットが作業の邪魔になり、ネット部分の屋根の作業を行うことができない。また、作業者がネット上を踏み歩く際にも、母屋の上を探しながら歩く必要があり、作業性は悪いものであった。
【０００４】
そのために、屋根下の母屋を意識せずに、スレートの上を踏み歩くことができる手法として、屋根上に足場を組むことが知られている（例えば特許文献２）。
【０００５】
堅実な手法であるが、足場を構築する設置が大掛かりで手間がかかり、コスト高になる不具合を有する。特に、特許文献２に示すものでは、鋼管がスレート屋根と線接触であり、摩擦係数が極めて低くなり、滑りやすい。鋼管が線接触であり、作業者の安全性を考えると鋼管を強度的にも強いものとする必要があり、重量のあるものとせざるを得なくなっている。
【０００６】
それに対して、簡易的な方法として、工事現場や屋根上等に無垢の木材、鉄製やアルミ製の板材、サンドイッチアルミ材等からなる足場板を骨組み間やスレート上に架け渡して、その上を踏み歩くようにしたものが知られている（特許文献３）。
【特許文献１】実開昭５９−８９９４１号公報
【特許文献２】特開２００３−０１３５７３号公報
【特許文献３】特公平４−７２９４７号公報
【発明の開示】
【発明が解決しようとする課題】
【０００７】
特許文献３に示すものでは、足場板に重量があるので、運搬時や屋根上に持ち上げて敷設し、作業に応じて移動し、作業完了後に撤去するのに非常に手間がかかり、作業員の負担も大となる不具合を有する。
【０００８】
特に、足場板をスレート屋根の波形状の頂部間に跨ってブリッジのように渡すものであり、足場板の底面がスレート屋根の頂部に線接触して載置されるため、スレート屋根を損傷する可能性があり、足場板が滑って外れる危険性を有している。
【０００９】
本発明は、軽量でしかも簡単に足場板をスレート屋根上に設置でき、踏み歩く通路を確保するようにすることを目的とする。
【課題を解決するための手段】
【００１０】
本発明では、足場板を屋根上に設置するものにおいて、足場板の軽量化と設置性の改善を狙いとして、足場板とスレート材との線接触を無くし、面接触とすることができないかという観点で誠意研究を重ねていった。その結果、足場板の下側をスレートの波形状に沿った波形状としてスレート材とを面接触させる構成として、作業者の荷重を確実に受けて足場としての強度を備え、且つ足場板が滑ることなく、作業者が安心して踏み歩くことができるようにしたものである。
【００１１】
具体的には、請求項１の発明は、スレート屋根上の足場板であって、スレート屋根の複数の波形状部に跨って渡される大きさの板状足場母材を備え、該足場母材の下部に一体に結合され、下面がスレート屋根の複数の波形状部に対応する波形状部を備えるクッション体を備えることを特徴とする。
【００１２】
請求項２の発明は、請求項1記載のスレート屋根上の足場板において、該クッション体が、下面に該スレート屋根の複数の波形状部に対応する波形状部が形成されたフォーム樹脂体からなることを特徴とする。
【００１３】
請求項３の発明は、請求項２記載のスレート屋根上の足場板において、該フォーム樹脂体は、隣接する該波形状部を連通して、該スレート屋根の頂部に当接する連通部を備えることを特徴とする。
【００１４】
請求項４の発明は、請求項３記載のスレート屋根上の足場板において、該クッション体が屋根上に設置された際に、該フォーム樹脂体の該波形状部の圧縮代は、該連通部の圧縮代より大きくなるように形成されていることを特徴とする。
【００１５】
請求項５の発明は、請求項１ないし４のいずれか１つに記載のスレート屋根上の足場板において、該足場母材は、上下が硬質板材からなり、間に補強材が介在されたサンドイッチ材からなることを特徴とする。
【００１６】
請求項６の発明は、請求項１ないし４のいずれか１つに記載のスレート屋根上の足場板において、該足場母材は、内部に空洞を有する断面ボックス形状のボックス材からなることを特徴とする。
【００１７】
請求項７の発明は、請求項１ないし６のいずれか１つに記載のスレート屋根上の足場板において、該足場母材の上面に滑り留め機構が設けられていることを特徴とする。
【００１８】
請求項８の発明は、請求項２ないし７のいずれか１つに記載のスレート屋根上の足場板において、該フォーム樹脂体の該波形状部の頂部からの傾斜面に滑り留め機構が設けられていることを特徴とする。
【発明の効果】
【００１９】
請求項１の発明によれば、足場板の下面がスレート屋根の波形状に沿って面接触するので、足場板上を移動する作業者の荷重をスレート屋根に分散して受けることができるので、スレート屋根が破損し難い。分散して荷重を受ける構成であるので、足場板を軽量なものとすることができ、しかも簡単に足場板をスレート屋根上に設置できる。
【００２０】
面接触であるので、足場板とスレート屋根との摩擦抵抗が大きくなり、足場板がスレート屋根から滑りにくく、安全性が向上できる。
【００２１】
請求項２の発明によれば、足場板を軽量化できるとともに、足場板のフォーム樹脂体が圧縮されてスレート屋根の波形状部に接触するので、フォーム樹脂体の波形状部をスレート屋根の波形状部に確実に面接触させることができる。
【００２２】
請求項３の発明によれば、フォーム樹脂体がスレート屋根の頂部から底面部までに渡って面接触するので、作業員の荷重を分散して受ける点で優れ、且つスレート屋根表面を滑り難い点で優れる。
【００２３】
請求項４の発明によれば、他の部分に比較してクッション体の頂部（即ち、スレート屋根の底面部）でクッショ体が大きく圧縮されるので、足場板で作業員の荷重を受けた際にクッション体のこの部分の強度を高く保持することができ、足場板の破損防止等の安全性を向上できる。
【００２４】
請求項５の発明によれば、足場板の足場母材を軽量化できる。
【００２５】
請求項６の発明によれば、足場板の足場母材を軽量化できる。
【００２６】
請求項７の発明によれば、足場板を踏み歩く作業員の滑りをより効果的に防止できる。
【００２７】
請求項８の発明によれば、足場板を踏み歩く作業員の滑りをさらにより効果的に防止できる。
【発明を実施するための最良の形態】
【００２８】
（実施形態１）
図１ないし図４により、本発明の実施形態１を説明する。図１は、スレート屋根に足場板を２枚連続して施工した状態を示す屋根の部分斜視図である。図２はスレート屋根に足場板を施工した状態を示す断面図である。図３は足場板の平面図、図４はスレート屋根に足場板を施工する状態を説明する図である。スレート屋根１は、断面略コ字状の鉄製下地材からなる母屋６にロックボルト７によって固定されている。このスレート屋根１を塗装する場合として、足場板１０がスレート屋根１に施工される状態を説明する。足場板１０がロックボルト７、７間で、母屋６の上になるような位置で足場板１０がスレート屋根１上に被せるように載せられる。図４に示すように、足場板２０は鉄、アルミ、FRP等の高剛性材からなる板状足場母材２０と、この足場母材２０の下側に一体に設けられたクッション体２３からなっている。クッション体２３の下面はスレート屋根１の波形状に沿う形状に形成されている。
【００２９】
従って、スレート屋根１に足場板１０を載せた際には、足場板１０の頂部２６、傾斜面２５及び連通部２７が、それぞれスレート屋根１の底面部４、傾斜面５及び頂部３に接触するようになる。足場板１０にかかる荷重が、これらの接触面を通して分散されてスレート屋根に伝わることとなるので、スレート屋根１を部分的に損傷する可能性が少なく、耐久性に優れたものとなる。なお、クッション体２３は、エチレン系樹脂を発泡したフォーム樹脂からなり、重量をできるだけ軽くしている。それとともに、スレート屋根１に載せられた際に少し圧縮されるように形成されているので、スレート屋根１の僅かな形状変化にも追従でき、確実に面接触するようになっている。特に、図２に示すように、スレート屋根１は所定の大きさからなり、上下左右で隣接するスレート屋根１と重ねられているが、クッション体２３は、この段差を吸収する弾力性を備えている。
【００３０】
また、足場板２０の板状足場母材２０の表面は、図３に示すように、滑り留め機構として筋状の凹凸部２１が形成されている。
【００３１】
（実施形態２）
図５により、本発明の実施形態２を説明する。実施形態２では、実施形態１と異なる箇所のみ説明し、それ以外は省略する。実施形態２において実施形態１と異なるのは、図５に示すように、足場板１１０のクッション体1２３の形状である。クッション体１２３は、スレート屋根１の波形状に略沿う形状であるが、クッション体１２３の頂部１２６とスレート屋根１の底面部１０４との間隔ｈ２が、クッション体１２３の連通部１２７とスレート屋根１の頂部１０３との間隔ｈ１より小さい間隔になるように、クッション体１２３の形状が形成されている。なお、１２０は板状足場母材を示す。
【００３２】
この形状により、足場板１２０がスレート屋根１の上に載せられた際には、クッション体１２３の頂部１２６の部分が連通部１２７よりも強く圧縮され、強度アップとなる。特に、作業員の荷重が足場板似かかった際には、上記傾向が強くなる。従って、足場板としての強度が強く出るので、耐荷重性が増加する。
【００３３】
（実施形態３）
図６により、本発明の実施形態３を説明する。実施形態３では、実施形態１と異なる箇所のみ説明し、それ以外は省略する。実施形態３において実施形態１と異なるのは、図６に示すように、足場板２１０のクッション体２２３の形状である。クッション体２２３の傾斜面２２５に、高摩擦係数の樹脂材を滑り留め機構２８として形成したものである。滑り留め機構２８はクッション体２２３に貼り合わせてもよく、一体に成形しても良い。また、摩擦抵抗を増加する為に、部分的に凹凸形状を形成するようにしても良い。なお、２２０は板状足場母材を示す。
【００３４】
（実施形態４）
図７により、本発明の実施形態４を説明する。実施形態４では、実施形態１と異なる箇所のみ説明し、それ以外は省略する。実施形態４において実施形態１と異なるのは、図７に示すように、足場板３１０に、母屋６にスレート屋根１を固定するロックボルト７に相当する部分に窪み３１１を設けている。このことによって、図１において、足場板３１０がスレート屋根１からズレ落ちることを防止できるようになっている。また、足場板３１０を設置する際の目安としても機能するので、作業しやすい。
【００３５】
（実施形態５）
図８により、本発明の実施形態５を説明する。実施形態５では、実施形態１と異なる箇所のみ説明し、それ以外は省略する。実施形態５において実施形態１と異なるのは、図8に示すように、足場板の足場母材がサンドイッチ材３０からなることである。サンドイッチ材３０は、鉄板、アルミ板、FRP等からなる2つの硬質板材３１とこの硬質板材３１に挟まれるハニカム構造の補強材３２からなる。この構成とすることによって、足場母材を軽量化できる。
【００３６】
（実施形態６）
図９及び図１０により、本発明の実施形態６を説明する。実施形態６では、実施形態５の異なる例を示す。実施形態６では、サンドイッチ材３０でなくボックス材４０として、サンドイッチ材３０の硬質板材３１の端部が露出しない形状とし、持ち運び等において、作業員が損傷する可能性を少なくしている。なお、内部は空洞４１としているが、波板材を補強フレーム４２として設けている。なお、補強フレーム４２の代わりに、図８のようなハニカム状の補強材３２を設けるようにしても良い。この構成とすることによって、足場母材を軽量化できる。
【００３７】
（実施形態７）
図１１により、本発明の実施形態７を説明する。実施形態７では、実施形態１と異なる箇所のみ説明し、それ以外は省略する。実施形態７において実施形態１と異なるのは、足場板４１０の形状である。実施形態１では、足場板２０は、スレート屋根１の流れ方向（波形状と直交する方向）に縦長のクッション体２３を２つ有する、縦長の機状であったが、この実施形態７の足場板４１０は、クッション体４２３がスレート屋根１の波形状の方向に多数形成された横長形状である。この実施形態７でも、実施形態１と同様に、クッション体４２３がスレート屋根１に面接触するので、荷重を分散して受けることができる。
【００３８】
なお、実施形態１〜７は、別々の構成として説明したが、これらの実施形態の構成を組み合わせて使用するようにしても良い。
【産業上の利用可能性】
【００３９】
以上説明したように、本発明に係るスレート屋根上の足場板は、例えば、工場、倉庫、駅のプラットホームの上家等の屋根上で各種作業をする場合に適している。
【図面の簡単な説明】
【００４０】
【図１】本発明の実施形態１にかかわり、スレート屋根に足場板を２枚連続して施工した状態を示す屋根の部分斜視図である。
【図２】実施形態１において、スレート屋根に足場板を施工した状態を示す断面図である。
【図３】実施形態１において、足場板の平面図である。
【図４】実施形態１において、スレート屋根に足場板を施工する状態を説明する図である。
【図５】本発明の実施形態２に係り、図４と同様な図を示す。
【図６】本発明の実施形態３に係り、図４と同様な図を示す。
【図７】本発明の実施形態４に係り、足場板の平面図を示す。
【図８】本発明の実施形態５に係り、足場母材の断面図を示す。
【図９】本発明の実施形態６に係り、足場母材の断面図を示す。
【図１０】本発明の実施形態６に係り、図９のＡ−Ａ断面図を示す。
【図１１】本発明の実施形態７に係り、図１と同様な図を示す。
【符号の説明】
【００４１】
１      スレート屋根
２        波形状部
６      母屋
７      ロックボルト
１０    足場板
２０    板状足場母材
２３    クッション体
２４      波形状部
２７      連通部
【図１】
2007239415.tif 000003
【図２】
2007239415.tif 000004
【図３】
2007239415.tif 000005
【図４】
2007239415.tif 000006
【図５】
2007239415.tif 000007
【図６】
2007239415.tif 000008
【図７】
2007239415.tif 000009
【図８】
2007239415.tif 000010
【図９】
2007239415.tif 000011
【図１０】
2007239415.tif 000012
【図１１】
2007239415.tif 000013